(57)【要約】  空間的構造物のための組立アセンブリ（１）は、サポート（１０）、ねじ（５０）および駆動軸（６０）を備える。サポート（１０）は、縦方向（Ｘ）に沿って延びている周囲面（３０、７２）を有する。サポート（１０）は、前記周囲面（３０）を貫通して延びている第１の穴（１２）、およびねじ（５０）を受け入れる第２の穴（２２）を備える。駆動軸（６０）は、サポート（１０）に対して交差軸（Ｙ）に沿って枢動可能に取り付けられている。交差軸（Ｙ）は縦方向（Ｘ）に対して平行ではなく、サポート（１０）の第１の穴（１２）を通って延びており、交差軸（Ｙ）周りの駆動軸（６０）の回転が長手軸（Ｘ）周りのねじ（５０）の回転に機械的に関連づけられる。
2013531205.tif 000002
【特許請求の範囲】
【請求項１】
エレメント（１０１）に着脱可能に締結されるようにされた空間的構造物のための組立アセンブリ（１、７０）であって、
シャンク（５４）および当接フランジ（５２）を有し、前記シャンク（５４）が、長手軸（Ｘ）に沿って延び、かつ、ねじ部（５６）を含む、ねじ（５０）と、
前記長手方向（Ｘ）に沿って延びている周囲面（３０、７２）、および前記長手軸（Ｘ）に沿った端部（１０ａ、１０ｂ）を有するサポート（１０）であって、第１の穴（１２）および第２の穴（２２）を備え、前記第１の穴（１２）が前記周囲面（３０、７２）を貫通して延び、前記第２の穴（２２）が前記ねじ（５０）の前記シャンク（５４）を受け入れるサポート（１０）と、
前記サポート（１０）に対して旋回可能に交差軸（Ｙ）に沿って取り付けられた駆動軸（６０）であって、前記交差軸（Ｙ）が前記縦方向（Ｘ）に対して平行ではなく、前記サポート（１０）の前記第１の穴（１２）を通って延び、前記交差軸（Ｙ）周りの前記駆動軸（６０）の回転が前記長手軸（Ｘ）周りの前記ねじ（５０）の回転に機械的に関連づけられる駆動軸（６０）と
を備える組立アセンブリ（１、７０）。
【請求項２】
前記駆動軸（６０）は前記サポート（１０）に対して前記交差軸（Ｙ）周りに回転することのみが可能である、請求項１に記載の組立アセンブリ。
【請求項３】
前記駆動軸（６０）は、前記交差軸（Ｙ）周りに円形周囲断面（６４）を有するヘッド部（６２）を含み、
前記第１の穴（１２）は円形断面を有し、
前記第１の穴（１２）は前記駆動軸の前記ヘッド部（６２）によって閉じられる、
先行する請求項に記載の組立アセンブリ。
【請求項４】
前記ヘッド部（６２）が前記交差軸（Ｙ）に沿って端面（６６）を有し、前記駆動軸（６０）の前記端面（６６）が前記サポート（１０）の前記周囲面（３０、７２）と同じ高さである、先行する請求項のいずれかに記載の組立アセンブリ。
【請求項５】
前記組立アセンブリ（１、７０）は、前記長手軸（Ｘ）周りに前記サポート（１０）に対して旋回可能に取り付けられた案内部材（４０）をさらに備え、
前記交差軸（Ｙ）周りの前記駆動軸（６０）の回転が前記案内部材（４０）を介して前記長手軸（Ｘ）周りの前記ねじ（５０）の回転に機械的に関連づけられ、
前記ねじ（５０）が前記案内部材（４０）に対して前記長手軸（Ｘ）周りに自由にスライドし、
前記ねじ（５０）は前記サポート（１０）に対して前記長手軸（Ｘ）に沿って移動可能である、
先行する請求項のいずれかに記載の組立アセンブリ。
【請求項６】
前記ねじ（５０）は非円形断面の筒状ピン（５９）を備え、
前記案内部材（４０）は、前記ねじ（５０）の前記筒状ピン（５９）を受け入れる筒状孔（４９）を備え、
前記案内部材（４０）の前記筒状孔（４９）は前記ねじ（５０）の前記筒状ピン（５９）と係合して、前記案内部材（４０）および前記ねじ（５０）を互いに前記長手軸（Ｘ）周りに回転しないようにする、
先行する請求項に記載の組立アセンブリ。
【請求項７】
前記案内部材（４０）は、前記筒状孔（４９）および外面（４５ｂ）によって形成される内面（４５ａ）を有する管状部（４５）を含み、
前記案内部材（４０）は、前記内面（４５ａ）と前記外面（４５ｂ）の間に延びている、前記ねじ（５０）の前記筒状ピン（５９）を前記案内部材（４０）の前記筒状孔（４９）に前記長手軸（Ｘ）に対して直角の挿入方向（Ｙ’）に沿って挿入するためのスロット（４６）を有する、
請求項６に記載の組立アセンブリ。
【請求項８】
前記駆動軸（６０）はかさ歯車（４１、５１、６１）を介して前記ねじ（５０）に結合され、前記案内部材（４０）は、前記駆動軸（６０）によって前記長手軸（Ｘ）に沿った一方の方向（Ｘ２）の並進が防止され、前記駆動軸（６０）は、前記案内部材（４０）によって前記交差軸（Ｙ）に沿った一方の方向（Ｙ２）の並進が防止される、請求項５から７のいずれかに記載の組立アセンブリ。
【請求項９】
前記サポート（１０）はハウジング（１８）およびインサート（２０）を備え、
前記ハウジング（１８）は、前記サポート（１０）の端部（１０ａ、１０ｂ）に開口（４）を備えた前記長手軸（Ｘ）に沿った空胴（１７）を有し、
前記インサート（２０）は前記空胴（１７）に挿入され、かつ、前記ハウジング（１８）に固定され、
前記インサート（２０）は前記第２の穴（２２）を備えたプレート（２８）を含み、
前記インサート（２０）は前記ねじ（５０）の前記当接フランジ（５２）と協働する当接面（２６）を含む、
先行する請求項のいずれかに記載の組立アセンブリ。
【請求項１０】
前記サポート（１０）はハウジング（１８）およびインサート（２０）を備え、
前記ハウジング（１８）は、前記サポート（１０）の端部（１０ａ、１０ｂ）に開口（４）を備えた前記長手軸（Ｘ）に沿った空胴（１７）を有し、
前記インサート（２０）は前記空胴（１７）に挿入され、かつ、前記ハウジング（１８）に固定され（２１）、
前記インサート（２０）は前記第２の穴（２２）を備えたプレート（２８）を含み、
前記インサート（２０）は前記ねじ（５０）の前記当接フランジ（５２）と協働する当接面（２６）を含み、
前記案内部材（４０）は当接フランジ（４８ａ）を有し、
前記インサート（２０）は、前記交差軸（Ｙ）に沿った一方の方向（Ｘ１）の前記案内部材（４０）の並進を防止するために前記案内部材（４０）の前記当接フランジ（４８ａ）と当接する案内部材保持部（２７）を有する、
請求項５から８のいずれかに記載の組立アセンブリ。
【請求項１１】
前記サポート（１０）はハウジング（１８）およびインサート（２０）を備え、
前記ハウジング（１８）は、前記サポート（１０）の端部（１０ａ、１０ｂ）に開口（４）を備えた前記長手軸（Ｘ）に沿った空胴（１７）を有し、
前記インサート（２０）は前記空胴（１７）に挿入され、かつ、前記ハウジング（１８）に固定され、
前記インサート（２０）は前記第２の穴（２２）を備えたプレート（２８）を含み、
前記インサート（２０）は前記ねじ（５０）の前記当接フランジ（５２）と協働する当接面（２６）を含み、
前記案内部材（４０）は環状溝（４８）を有し、
前記インサート（２０）は、前記交差軸（Ｙ）に沿った２つの互いに逆方向（Ｙ１、Ｙ２）の前記駆動軸（４０）の並進を防止するための、前記案内部材（４０）の前記環状溝（４８）と係合した案内部材保持部（２７）をさらに備える、
請求項５から８のいずれかに記載の組立アセンブリ。
【請求項１２】
前記駆動軸（６０）は当接フランジ（６８ａ）を有し、
前記インサート（２０）は、前記交差軸（Ｙ）に沿った一方の方向（Ｙ１）の前記駆動軸（６０）の並進を防止するために前記駆動軸（６０）の前記当接フランジ（６８ａ）と当接する駆動軸保持部（２９）をさらに備える、
請求項９から１１のいずれかに記載の組立アセンブリ。
【請求項１３】
前記駆動軸（６０）は環状溝（６８）を有し、
前記インサート（２０）は、前記交差軸（Ｙ）に沿った２つの互いに逆方向（Ｙ１、Ｙ２）の前記駆動軸（６０）の並進を防止するための、前記駆動軸（６０）の前記環状溝（６８）と係合した駆動軸保持部（２９）をさらに備える
請求項９から１１のいずれかに記載の組立アセンブリ。
【請求項１４】
前記インサート（２０）は一部品で成型される、請求項９から１３のいずれかに記載の組立アセンブリ。
【請求項１５】
前記インサート（２０）は、前記ねじ（５０）および前記駆動軸（６０）が保持されるケーシング（７０）を形成し、したがって前記インサート（２０）、前記ねじ（５０）および前記駆動軸（６０）がモジュールの一部である、請求項９から１３のいずれかに記載の組立アセンブリ。
【請求項１６】
前記ハウジング（１８）は押出し加工されている、請求項９から１５のいずれかに記載の組立アセンブリ。
【請求項１７】
前記駆動軸（６０）は、かさ歯車（４１、６１）を介して前記ねじ（５０）に結合される、請求項１から７のいずれかに記載の組立アセンブリ。
【請求項１８】
前記交差軸（Ｙ）は前記長手軸（Ｘ）に対して直角である、先行する請求項のいずれかに記載の組立アセンブリ。
【請求項１９】
前記サポート（１０）は前面（２４）および当接面（２６）をさらに有し、前記第２の穴（２２）にねじが切られており、
前記ねじ（５０）は、後退位置と突出位置の間を連動した並進および回転によって前記サポート（１０）に対して移動可能であり、前記ねじの前記ねじ部（５６）は、前記後退位置と前記突出位置との間で前記ねじ穴（２２）と係合し、前記シャンク（５４）は、前記突出位置では前記サポート（１０）の前記前面（２４）から突出し、
固定位置では、前記ねじ（５０）の前記ねじ部（５６）が前記サポート（１０）の前記前面（２４）から突出し、前記ねじの前記当接フランジ（５２）が前記サポート（１０）の前記当接面（２６）に当接し、前記ねじ（５０）が、前記長手軸（Ｘ）に沿って並進することなく、前記長手軸（Ｘ）周りに前記サポート（１０）に対して回転可能である
先行する請求項１のいずれかに記載の組立アセンブリ。
【請求項２０】
先行する請求項のいずれかに記載の組立アセンブリ（１）、およびねじ込み固定穴（１２２）を備えたエレメント（１０１）を備える装置（１００）であって、
前記組立アセンブリ（１）が内部当接面（２６）および外部当接面（２５）を備え、
前記第２の穴（２２）が前記内部当接面（２６）を貫通して延び、
前記ねじ（５０）が前記エレメント（１０１）の前記固定穴（１２２）にねじ込まれ、
前記ねじの前記当接フランジ（５２）が前記サポート（１０）の前記内部当接面（２６）に当接し、
前記組立アセンブリ（１）の前記外部当接面（２５）が前記長手軸（Ｘ）に沿って前記エレメント（１０１）の当接表面（１２５）に圧力（Ｆ）を加え、前記圧力（Ｆ）が、前記ねじ（５０）を前記固定穴（１２２）にねじ込むにつれて大きくなる装置（１００）。
【請求項２１】
前記組立アセンブリ（１）が前記長手軸（Ｘ）に対して直角の非円形断面を有するクランク（２）を備え、
前記組立アセンブリ（１）および前記エレメント（１０１）が互いに嵌合するよう、前記エレメント（１０１）が、前記組立アセンブリ（１）の前記クランク（２）の反対側に、前記クランク（２）と相補をなすクランク（１０２）を備える、
先行する請求項に記載の装置。
【請求項２２】
前記組立アセンブリ（１）の前記クランク（２）および前記エレメント（１０１）の前記クランク（１０２）が、前記長手軸（Ｘ）に対して直角の多角形断面を有し、前記組立アセンブリ（１）の前記クランク（２）および前記エレメント（１０１）の前記クランク（１０２）のうちの一方が、前記長手軸（Ｘ）に対して直角の正八角形断面（６）を有する、請求項２１に記載の装置。
【発明の詳細な説明】
【技術分野】
【０００１】
本発明は、空間的構造物のための組立アセンブリ、およびねじ止めによって組立アセンブリに着脱可能に締結されるエレメントをさらに備える装置に関する。
【０００２】
本発明による組立アセンブリを使用して達成することができる空間的構造物は、詳細には、家具、建築構造物、ならびに機械および車両構造物の一部である。
【０００３】
本発明は、詳細には、家具の分野においては、テーブル、本箱、椅子、ベッド、貯蔵ユニット、スタンドに関し、また、建築構造物の分野においては、個人住宅、事務所、店舗、駅、足場に関する。
【０００４】
組立アセンブリは、棒、節、プレートおよび平行六面体箱の一部であることが好ましい。
【背景技術】
【０００５】
ベルギー特許第５３１７６１号明細書には、管状棒、スリーブおよびねじを備えた組立アセンブリが開示されている。管状棒は穴を備えた当接面を有する。スリーブは六角形外部断面および穴を有する。ねじはシャンクおよび当接フランジを有する。シャンクは長手軸に沿って延び、ねじ部を含む。ねじは、管状棒の穴を通して自由にスライド可能であり、また、長手軸周りに回転することなくスリーブに対して並進可能である。使用者は、スパナを使用して長手軸周りの回転によりスリーブを駆動する。したがって、ねじは長手軸周りに回転し、エレメントのねじ穴と噛み合う。よって、ねじの当接フランジが管状棒の当接表面に当接し、また、スリーブは管状棒とエレメントの間に置かれる。
【先行技術文献】
【特許文献】
【０００６】
【特許文献１】ベルギー特許第５３１７６１号明細書
【発明の概要】
【発明が解決しようとする課題】
【０００７】
本発明の目的は、組立アセンブリ使用して空間的構造物の組み立てをより容易にしつつ、外観がより良好な、単純で、かつ、安価な、より頑丈な組立アセンブリを提供することである。
【課題を解決するための手段】
【０００８】
そのために、本発明によれば、組立アセンブリは、ねじ、サポートおよび駆動軸を備える。ねじはシャンクおよび当接フランジを有する。シャンクは長手軸に沿って延びており、ねじ部を含む。サポートは、長手方向に沿って延びている周囲面、および長手軸に沿った端部を有する。サポートは第１の穴および第２の穴を備える。第１の穴は周囲面を貫通して延びており、第２の穴はねじのシャンクを受け入れる。駆動軸は、サポートに対して交差軸に沿って旋回可能に取り付けられている。交差軸は長手方向に対して平行ではなく、サポートの第１の穴を通って延びている。交差軸周りの駆動軸の回転は、長手軸周りのねじの回転に機械的に関連づけられる。
【０００９】
したがって、組立アセンブリは、より単純であり、より良好な外観を有し、かつ、より頑丈である。ベルギー特許第５３１７６１号明細書に開示されている組立アセンブリとは対照的に、管状棒とエレメントの間に置くようにされた、ねじ止めによってエレメントを組立アセンブリに着脱可能に締め付けるためのスリーブは不要である。さらに、この交差軸周りの駆動軸の回転は、使用者にとって行うのがおおむね容易であり、ドライバーやねじ銃などを駆動軸の自由端に結合することにより、連続回転運動によって行うことができることが有利である。それに対して、ベルギー特許第５３１７６１号明細書の場合、スパナを使用しなければならず、したがって使用者は、通常、ねじを回転させるために前後運動をしなければならない。
【００１０】
本発明によれば、交差軸は長手軸に対して直角であることが好ましい。
【００１１】
本発明による他の特徴によれば、駆動軸は、交差軸に沿った互いに逆の両方向の並進が防止され、したがって駆動軸は、サポートに対して交差軸周りに回転することだけができることが好ましい。
【００１２】
したがって駆動軸は、より単純に、かつ、より容易に回転駆動される。
【００１３】
本発明による追加特徴によれば、駆動軸は、交差軸周りに円形周囲断面を有するヘッド部を含み、第１の穴は円形断面を有し、また、第１の穴は駆動軸のヘッド部によって閉じられていることが好ましい。
【００１４】
したがってハウジング内へのほこりの侵入が低減され、また、組立アセンブリの外観が改善される。
【００１５】
本発明による追加特徴によれば、ヘッド部は交差軸に沿って端面を有しており、また、駆動軸の前記端面はサポートの周囲表面と同じ高さであることが好ましい。
【００１６】
したがって組立アセンブリの外観がさらに改善される。
【００１７】
本発明による他の追加特徴によれば、組立アセンブリは、サポートに対して長手軸周りに旋回可能に取り付けられた案内部材をさらに備えており、交差軸周りの駆動軸の回転が案内部材を介して長手軸周りのねじの回転に機械的に関連づけられ、ねじは案内部材に対して長手軸周りに自由にスライドし、ねじはサポートに対して長手軸に沿って移動させることができることが好ましい。
【００１８】
したがって２つのエレメントの間に組立アセンブリを挿入することができ、これらのエレメントを互いに遠ざかる方向に実質的に移動させる必要なく、これらのエレメント（のうちの少なくとも一方）に組立アセンブリがねじ止めされ、次にこれらのエレメントがより近づけられ、それにより組立アセンブリが１つまたは複数のエレメントに固定される。
【００１９】
本発明による追加特徴によれば、ねじは非円形断面の筒状ピンを備えており、案内部材はねじの筒状ピンを受け入れる筒状孔を備えており、案内部材の筒状孔はねじの筒状ピンと係合して、案内部材およびねじが互い長手軸周りに回転しないようにする。
【００２０】
この解決策は単純で、かつ、有効である。
【００２１】
本発明による追加特徴によれば、案内部材は、筒状孔および外面によって形成される内面を有する管状部を含み、また、案内部材は、内面と外面の間に延びている、ねじの筒状ピンを案内部材の筒状孔に長手軸に対して直角の挿入方向に沿って挿入するためのスロットを有することが好ましい。
【００２２】
この解決策は単純であり、組立アセンブリの製造をさらに単純にする。
【００２３】
本発明による他の追加特徴によれば、駆動軸はかさ歯車を介してねじに結合されており、案内部材は、駆動軸によって長手軸に沿った一方の方向の並進が防止されており、また、駆動軸は、案内部材によって交差軸に沿った一方の方向の並進が防止されていることが好ましい。
【００２４】
この解決策によれば、交差軸周りの駆動軸の回転が長手軸周りのねじの回転に効果的に関連づけられ、かつ、案内部材および駆動軸が保持される。
【００２５】
本発明による他の特徴によれば、サポートはハウジングおよびインサートを備えており、ハウジングは、サポートの端部に開口を備えた長手軸に沿った空胴を有しており、インサートは空胴に挿入され、かつ、ハウジングに固定され、インサートは第２の穴を備えたプレートを含み、また、インサートはねじの当接フランジと協働する当接面を含むことが好ましい。
【００２６】
この解決策は、組立アセンブリの製造を単純にし、また、組立アセンブリの頑丈さを改善する。
【００２７】
本発明による追加特徴によれば、案内部材は当接フランジを有しており、また、インサートは、交差軸に沿った一方の方向の案内部材の並進を防止するために案内部材の当接フランジと当接する案内部材保持部を有することが好ましい。
【００２８】
この解決法は単純であり、組立アセンブリの製造を単純にし、また、案内部材を有効に保持する。
【００２９】
本発明による代替特徴によれば、案内部材は環状溝を有しており、また、インサートは、交差軸に沿った２つの互いに逆方向の駆動軸の並進を防止するための、案内部材の環状溝と係合した案内部材保持部をさらに備えることが好ましい。
【００３０】
この解決策も単純であり、組立アセンブリの製造を単純にし、また、案内部材を有効に保持するが、この場合は互いに逆方向の両方の方向に保持する。
【００３１】
本発明による追加特徴によれば、駆動軸は当接フランジを有しており、また、インサートは、交差軸に沿った一方の方向の駆動軸の並進を防止するために駆動軸の当接フランジと当接する駆動軸保持部をさらに備えることが好ましい。
【００３２】
この解決策は単純であり、組立アセンブリの製造を単純にし、また、駆動軸を有効に保持する。
【００３３】
本発明による代替特徴によれば、駆動軸は環状溝を有しており、また、インサートは、交差軸に沿った２つの互いに逆方向の駆動軸の並進を防止するための、駆動軸の環状溝と係合した駆動軸保持部をさらに備えることが好ましい。
【００３４】
この解決策も単純であり、組立アセンブリの製造を単純にし、また、案内部材を有効に保持するが、この場合は互いに逆方向の両方の方向に保持する。
【００３５】
本発明による他の特徴によれば、インサートは一部品で成型されることが好ましい。
【００３６】
したがって組立アセンブリの頑丈さが改善され、また、部品の数の減少によって製造が単純化される。
【００３７】
本発明による他の特徴によれば、インサートは、ねじおよび駆動軸が保持されるケーシングを形成しており、したがってインサート、ねじおよび駆動軸は、（自己支持／単一）モジュールの一部であることが好ましい。
【００３８】
したがって組立アセンブリの製造がより容易である。さらに、異なるサイズのハウジングおよび同一のモジュールが製造され、モジュールは、複数のハウジングのうちの任意のハウジングの中に分け隔てなく受け入れられることが好ましい。
【００３９】
本発明による他の特徴によれば、ハウジングは押出し加工されることが好ましい。
【００４０】
したがって組立アセンブリのコストが低減される。
【００４１】
本発明によれば、組立アセンブリは以下の特徴をさらに含むことが好ましい。
【００４２】
−  サポートは前面および当接表面をさらに有し、第２の穴はねじが切られている：
−  ねじは、サポートに対して後退位置と突出位置との間を連動した並進および回転によって移動させることができ、ねじのねじ部は、後退位置と突出位置との間でねじ穴と噛み合い、シャンクは、突出位置ではサポートの前面から突出する：
−  固定位置では、ねじのねじ部がサポートの前面から突出し、ねじの当接フランジがサポートの当接表面に当接し、ねじは、長手軸に沿って並進することなく、長手軸周りにサポートに対して回転することができる。
【００４３】
したがって、使用者に必要なことは、ねじをエレメントのねじ穴に噛み合わせるために、最初にねじを回転させてエレメントに向かってねじを移動させ、次に、エレメントを組立アセンブリに押し付けることのみである。
【００４４】
本発明は、さらに、組立アセンブリに加えて、ねじ込み固定穴を備えたエレメントを備える装置に関し、
−  組立アセンブリは内部当接面および外部当接面を備えており、
−  第２の穴は内部当接面を貫通して延びており、
−  ねじはエレメントの固定穴にねじ込まれ、
−  ねじの当接フランジはサポートの内部当接面に当接し、また、
−  組立アセンブリの外部当接面が長手軸に沿ってエレメントの当接面に圧力を加え、この圧力は、ねじを固定穴にねじ込むにつれて大きくなる。
【００４５】
したがって組立アセンブリおよびエレメントの固定が容易に達成され、かつ、極めて頑丈である。
【００４６】
本発明による追加特徴によれば、組立アセンブリは、長手軸に対して直角の非円形断面を有するクランクを備えており、組立アセンブリおよびエレメントが互いに嵌合するよう、エレメントは、組立アセンブリのクランクの反対側に、それと相補をなすクランクを備えることが好ましい。
【００４７】
したがって組立アセンブリとエレメントの間の固定がより強固であり、かつ、より頑丈である。
【００４８】
本発明による追加特徴によれば、組立アセンブリのクランクおよびエレメントのクランクは、長手軸に対して直角の多角形断面を有することが好ましい。
【００４９】
本発明によれば、組立アセンブリのクランクおよびエレメントのクランクのうちの一方は、長手軸に対して直角の正八角形断面を有することが好ましい。
【００５０】
本発明の他の特徴および利点は、添付の図面を参照して行う以下の詳細な説明から明らかになるであろう。
【図面の簡単な説明】
【００５１】
【図１】互いに締結された複数の組立エレメントおよび結合エレメントを備えた本発明による装置を概略的に示す斜視図である。
【図２】第１の実施形態による装置の組立エレメントおよび結合エレメントを拡大して示す部分分解図斜視図である。
【図３】図２のＩＩＩ−ＩＩＩ線に沿った横断面図である。
【図４Ａ】後退位置におけるねじを示す、図３のＩＶで示す領域を拡大した図である。
【図４Ｂ】突出位置におけるねじを示す、図４Ａと同様の図である。
【図５】固定位置におけるねじを示す、図３のＶで示す領域を拡大した図である。
【図６】拡大スケールで示す、図１のＶＩ−ＶＩ線に沿った部分横断面図である。
【図７】第２の実施形態による装置を示す斜視図である。
【図８】第２の実施形態による組立エレメントを示す分解斜視図である。
【図９】図７のＩＸ−ＩＸ線に沿った断面図である。
【図１０】組立て中の第２の実施形態による装置を示す斜視図である。
【図１１】ドライバが挿入された第３の実施形態による組立エレメントを示す部分横断面図である。
【図１２】ドライバが除去された、図１１による第３の実施形態を示す図である。
【図１３】第４の実施形態による装置を示す部分分解斜視図である。
【図１４】図１３のＸＩＶ−ＸＩＶ線に沿った横断面図である。
【図１５】第５の実施形態による装置を示す分解斜視図である。
【図１６】図１５のＸＶＩ−ＸＶＩ線に沿った横断面図である。
【図１７】第６の実施形態による装置を示す部分分解斜視図である。
【図１８】第７の実施形態による装置を示す部分分解斜視図である。
【発明を実施するための形態】
【００５２】
図１は、互いに締結された組立エレメント１および結合エレメント１０１を有する空間的構造物を形成する装置１００を示す。
【００５３】
図に示されている実施形態では、すべての組立エレメント１は同一であり、また、すべての結合エレメント１０１も同一である。個々の組立エレメント１は、実質的に一定の外部断面を有する棒状の外部形状を有しており、長手軸Ｘに沿って延びている。個々の結合エレメント１０１は、ねじ込み固定穴１２２を個々の面の中央に有する立方体の外部形状を有する節を形成している。
【００５４】
図１に示されている実施形態では、装置１００はプレート１１０をさらに含む。装置１００はテーブルを形成している。組立エレメント１は、テーブルの脚および周辺縁を構成している。結合エレメント１０１はテーブルの角を構成している。プレート１１０はテーブルの頂部を構成している。
【００５５】
図２および３に詳細に示されているように、組立エレメント１は、サポート１０およびねじ５０を備えており、ねじ５０は、結合エレメント１０１のねじ込み固定穴１２２の１つにねじ込むためにサポート１０に対して移動させることができる。組立エレメント１は、案内部材４０および駆動軸６０をさらに備える。
【００５６】
サポート１０は、第１の端部１０ａと第２の端部１０ｂの間を長手軸Ｘに沿って延びている。サポート１０は、ハウジング１８およびインサート２０を含む。ハウジング１８は、長手軸Ｘに沿って延びている筒状の周囲面３０を有する。ハウジング１８は、個々の端部１０ａ、１０ｂに開口４を有する空胴１７をさらに有する。インサート２０は、第１の端部１０ａの開口４を介してハウジング１８の空胴に挿入され、もう１つの（同一の）インサート２０は、第２の端部１０ｂの開口４を介してハウジング１８の空胴に挿入される。図１ないし６に示されている実施形態では、ハウジング１８は、長手方向の補強リブを備えた管形のバーであり、長手軸Ｘに沿って実質的に同じ断面を有するように押し出し加工されている。さらに、組立エレメント１の第１の端部１０ａおよび第２の端部１０ｂは同一である。同一である第１の端部１０ａの各部および第２の端部１０ｂの各部は、同じ参照番号を付している。
【００５７】
図２ないし６に示されている実施形態では、インサート２０は、本体２３および本体２３と一体のプレート２８を備える。インサート２０は、一部品で成型されていることが好ましい。プレート２８は、内部当接面２６および該内部当接面２６の反対側の前面２４を備える。前面２４および内部当接面２６はいずれも平坦であり、組立エレメント１の長手軸Ｘに対して直角に延びている。プレート２８はねじ２１を受け入れる通路を有しており、したがってプレート２８はねじ２１によってハウジング１８に固定される。プレート２８は、内部当接面２６と前面２４の間を長手軸Ｘに沿って延びているねじ穴２２をさらに有する。
【００５８】
ねじ５０は長手軸に沿って延びており、シャンク５４、筒状ピン５９、およびシャンク５４と筒状ピン５９の間に配置された張り出し５３を有する。シャンク５４は、ねじ部５６、および滑らかな（ねじが切られていない）、ねじ部５８と張り出し５３の間に配置された環状溝５８を含む。したがってねじ部５６は、長手軸Ｘに沿って、溝５８からねじ５０の端面５１まで第１の方向Ｘ１に延びている。
【００５９】
ねじ５０は、図４Ａに詳細に示されている後退位置と、図４Ｂに示されている突出位置の間でインサート２０のねじ穴２２と噛み合う。したがってねじ５０は、後退位置と突出位置の間で、長手軸Ｘに沿った連動した並進および回転によってサポート１０に対して連結される。
【００６０】
張り出し５３は、保持フランジ５５および当接フランジ５２を有する。後退位置では、ねじ５０の端面５１は前面２４と同じ高さであり、ねじ５０のねじ部５６とねじ穴２２が噛み合い、また、保持フランジ５５と案内部材４０の端部当接面３９が当接する。したがってねじ５０を緩めることによって生じる、長手軸Ｘに沿った、第１の方向Ｘ１とは逆の第２の方向Ｘ２のねじ５０の並進が後退位置で停止し、それによりねじ穴２２からのねじ５０の離脱が防止される。
【００６１】
ねじ穴２２へのねじ部５６の噛み合いは、図４Ｂに示されている突出位置で終了する。突出位置と図５に示されている固定位置の間では、環状溝５８はねじ穴２２の中に位置しており、ねじ部５６はねじ穴２２とは噛み合わず、したがってねじ５０は、それぞれ独立して長手軸Ｘ周りに回転し、かつ、長手軸Ｘに沿って並進することができる。
【００６２】
図４Ｂに詳細に示されているように、突出位置では、当接フランジ５２はインサート２０の内部当接面２６からｄだけ距離を隔てている。距離ｄは、ねじ穴２２の直径の１０％未満であることが有利であり、また、５％未満であることが好ましい。さらに、距離ｄは、３ミリメートル未満であることが有利であり、また、１ミリメートル未満であることが好ましい。
【００６３】
図５に詳細に示されているように、固定位置では、ねじ５０の当接面５２がインサート２０の内部当接面２６に当接し、ねじ５０のねじ部５６とねじ穴２２の間に間隙ｄが存在する。
【００６４】
したがってねじ５０を後退位置から第１の回転方向に回転させることにより、ねじ５０のねじ部５６を突出させることができる。したがって結合エレメント１０１が端部１０ａ、１０ｂのいずれかと対向している場合、ねじ５０のねじ部５６は、ねじ５０が前記第１の回転方向に回転するため、結合エレメント１０１の固定穴１２２と噛み合う。ねじ５０は、後退位置から突出位置まで、長手軸Ｘに沿って連動した並進および回転によりサポート１０に対して移動する。次に、ねじ５０のねじ部５６は依然として結合エレメント１０１の固定穴１２２と噛み合っているが、組立エレメント１のねじ穴２２とはもはや噛み合っていないため、ねじ５０を第１の方向に回し続けることにより、結合エレメント１０１は組立エレメント１に向かって移動する。
【００６５】
図３および５に詳細に示されている固定位置では、サポート１０の外部当接面２５は、結合エレメント１０１の当接面１２５に接触している。次に、サポート１０に対するねじ５０の長手軸Ｘ周りの第１の回転方向の回転の機能、したがってねじ込みの機能（固定穴１２２中でのねじ５０の連動した並進および回転）により、保持フランジ５２が内部当接面２６に加える圧力が増加し、したがって外部当接面２５が結合エレメント１０１の当接面１２５に加える圧力Ｆが増加する。
【００６６】
図２ないし５に示されている実施形態では、プレート２８は、長手軸Ｘに対して直角の、実質的に正方形の断面を有する周囲面６を有する。外部当接面２５は平坦であり、ハウジング１８の一部である。プレート２８は外部当接面２５から突出している。したがって組立エレメント１は、長手軸Ｘに対して直角の非円形（正方形）断面を有する突出クランク２を個々の端部１０ａ、１０ｂに有する。
【００６７】
結合エレメント１０１は、当接面１２５の後方にセットされ、かつ、組立エレメント１の前面２４と対向する前面１２４を有する。したがって結合エレメント１０１は、実質的に長手軸Ｘに対して直角の断面のセットバッククランク１０２を有しており、これは、組立エレメント１の突出クランク２と相補をなしている。したがって組立エレメント１および結合エレメント１０１は互いに嵌合している。したがって組立エレメント１は、結合エレメント１０１に対する長手軸Ｘ周りの４つの角相対位置のうちの１つに指標付けされる。
【００６８】
案内部材４０は、案内部材４０の長手軸Ｘに沿った第１の方向Ｘ１の端部に端面３９を有しており、その反対側の、案内部材の長手軸Ｘに沿った第２の方向Ｘ２の端部に円錐歯車４１を備える。
【００６９】
案内部材４０は、内面４５ａおよび外面４５ｂを有する管状部４５をさらに備える。内面４５ａは筒状の孔４９を画定しており、この孔の中にねじの筒状ピン５９が受け入れられる。
【００７０】
筒状ピン５９は、固定位置と後退位置の間を長手軸Ｘに沿って案内部材４０に対して自由にスライドする。上述したように、ねじ５０は、ねじ５０の保持フランジ５５が案内部材４０の端部当接面３９に当接することによって、サポート１０に対する長手軸Ｘに沿った第２の方向Ｘ２の、後退位置を超えるスライドが防止されている。筒状ピン５９は、孔４９の内部断面と同様の、該内部断面と相補をなしている六角形の外部断面を有する。したがって孔４９はねじの筒状ピン５９と係合し、したがってそれらは長手軸Ｘ周りの回転にリンクされる。
【００７１】
インサート２０の本体２３は、長手軸Ｘ周りに、長手軸Ｘに沿って延び、かつ、外面４５ｂと対向している、断面が円形の筒状の孔８をさらに備える。孔８および外面４５ｂはいずれも円形断面を有する。インサート２０の孔８は支持面を形成しており、案内部材４０の外面４５ｂは、この支持面に対して長手軸Ｘ周りに回転する。
【００７２】
さらに、ハウジング１８は、長手軸Ｘ周りに、長手軸Ｘに沿って延びている、断面が円形の筒状面１６を備える。ハウジング１８の筒状面１６は支持面を形成しており、案内部材４０の環状外面４３はこの支持面に対して回転する。環状外面４３は、円錐歯車４１の近傍に位置している。
【００７３】
案内部材４０は、第１の当接フランジ４８ａおよび第２の当接フランジ４８ｂを有する張り出し４８をさらに備える。第１の当接フランジ４８ａは、インサート２０の本体２３の案内部材保持部２７と対向している。インサート２０の案内部材保持部２７は、第１の当接フランジ４８ａを当接させることによって、案内部材４０がサポート１０に対して長手方向の軸Ｘに沿って第１の方向Ｘ１に並進するのを防止する当接面を有する。第２の当接フランジ４８ｂは、ハウジング１８の筒状面１６の端部と対向しており、それにより、第２の当接フランジ４８ｂを当接させることによって、案内部材４０がサポート１０に対して長手方向の軸Ｘに沿って第２の方向Ｘ２に並進するのを任意で防止する。
【００７４】
駆動軸６０は、長手軸Ｘに対して平行ではない交差軸Ｙに沿って延びている。図１ないし６に示されている実施形態では、交差軸Ｙは長手軸Ｘに対して直角である。
【００７５】
駆動軸６０は、交差軸Ｙに沿った第１の方向Ｙ１の端部にヘッド６２を備えており、その反対側の、交差軸Ｙに沿った、第１の方向Ｙ１とは逆方向の第２の方向Ｙ２の端部に、案内部材４０の円錐歯車４１と噛み合う円錐歯車６１を備える。
【００７６】
ヘッド６２は、交差軸Ｙ周りに、側穴１２の中に受け入れられる円形周囲断面６４を有する。側穴６２は、交差軸Ｙに沿って、周囲面３０を貫通して延びている。側穴１２は交差軸Ｙに対して直角の円形断面を有しており、駆動軸６０のヘッド６２の周辺部６４が回転する支持面を形成する。側穴１２の断面は駆動軸６０のヘッド６２の断面に近いため、駆動軸６０のヘッド６２は側穴１２を閉じている。
【００７７】
駆動軸６０は、円錐歯車６１の近傍に環状外面６３をさらに備える。外面６３は、ハウジング１８の中に形成された円形断面の孔の中に受け入れられ、駆動軸６０の外面６３が回転する支持面１３を形成する。
【００７８】
したがってサポート１０の側穴１２および支持面１３は、交差軸Ｙに沿って駆動軸６０を案内する。
【００７９】
駆動軸６０は、第１の当接面６８ａおよび第２の当接面６８ｂを有する環状溝６８をさらに有する。インサート２０の本体２３は駆動軸保持部２９をさらに有する。インサート２０の駆動軸保持部２９はフォークの形を有しており、環状溝６８と係合する。前記駆動軸保持部２９は、環状溝６８の中を長手軸Ｘに沿って延びているフィンガを備えており、このフィンガの間に駆動軸６０が受け入れられる。したがって第１の当接フランジ６８ａおよび第２の当接フランジ６８ｂは、いずれもインサート２０の駆動軸保持部２９と対向している。したがって駆動軸保持部２９は、第１の当接フランジ６８ａに当接することによって、駆動軸６０が交差軸Ｙに沿って第１の方向Ｙ１に並進するのを防止する。また、駆動軸保持部２９は、第２の当接フランジ６８ｂに当接することによって、駆動軸６０がサポート１０に対して交差軸Ｙに沿って第２の方向Ｙ２に並進するのを防止する。
【００８０】
したがって駆動軸６０は、サポート１０に対して交差軸Ｙ周りに回転することだけができる。
【００８１】
駆動軸６０の円錐歯車６１と案内部材４０の円錐歯車４１が係合するため、案内部材４０は、さらに、長手軸Ｘに沿った第２の方向Ｘ２の並進が防止され、また、駆動軸６０は、案内部材４０の円錐歯車４１によって、交差軸Ｙに沿った第２の方向Ｙ２の並進が防止される。したがってサポート１０に対して、インサート２０の案内部材保持部２７は、長手方向の軸Ｘに沿った第１の方向Ｘ１のみの案内部材４０の並進を防止することができ、また、駆動軸保持部２９は、交差軸Ｙに沿った第１の方向Ｙ１の駆動軸６０の並進のみを防止することができる。しかしながら、組立エレメントの頑丈さおよび製造の容易さが低下することになる。
【００８２】
一方、駆動軸６０のヘッド部６２は、交差軸Ｙに沿った第１の方向Ｙ１の端面６６を有しており、また、駆動軸６０の前記端面６６は、サポート１０の周囲面３０と同じ高さである。
【００８３】
六角形の断面の中空部が、六角キーを受け入れるようにされたツール受容部６５を形成しており、ハウジング１８に面している。
【００８４】
駆動軸６０の円錐歯車６１と案内部材の円錐歯車４１が噛み合い、また、案内部材４０が孔４９とピン５９の係合を介して回転によりねじに連結されるため、交差軸Ｙ周りの駆動軸６０の回転が長手軸Ｘ周りのねじ５０の回転に機械的に関連づけられる。
【００８５】
したがって、使用者は駆動軸６０のツール受容部６５に挿入された六角キーを容易に連続的に回転させることができるため、結合エレメント１０１を使用して組立エレメント１を極めて容易に締結することができる。
【００８６】
図６に詳細に示されているように、ハウジング１８は、平らな４つの外部側面３２、３４、３６、３８、および周囲面３０を形成している４つのリブ３１を有する。
【００８７】
側面３２、３４、３６、３８およびリブ３１、３３、３５、３７は長手軸Ｘに沿って延びている。個々のリブ３１、３３、３５、３７は、２つの隣接する側面３２、３４、３６、３８を結合し、隣接する側面の両方から突出している。
【００８８】
したがってプレート１１０を取り囲んでいる４つの組立エレメント１の２つのリブ３３、３５の間にテーブルのプレート１１０が容易に保持される。
【００８９】
図６では、駆動軸６０のツール受容部６５は、駆動軸６０を覆い隠すために床に面していることが好ましい。
【００９０】
ねじ５０は、任意に、図２に示されているように、端面５１に六角キーを受け入れるようにされたツール受容部をさらに有する。しかしながら、アクセスが可能であるのは、一般的には駆動軸６０のツール受容部６５のみである。
【００９１】
組立エレメントを製造するために、側穴１２からハウジング１８内に駆動軸６０が挿入され、案内部材４０の孔４９にねじ５０のピン５９が挿入され、インサート２０の孔８に案内部材４０の管状部４５が挿入され、かつ、ねじ穴２２にねじがねじ込まれる。次に、開口４から空胴１７の中にインサート２０が挿入され、ハウジング１８の筒状面１６と対向している案内部材４０の環状外面４３および駆動軸保持部２９が駆動軸６０の環状溝６８と係合する。また、ねじ２１によってインサート２０がハウジングに固定される。
【００９２】
図７ないし１０は、本発明による装置１００の第２の実施形態を示すものである。
【００９３】
図７ないし１０に示されている実施形態では、ハウジング１８は、案内部材４０の環状外面４３が回転する支持面を形成する筒状面１６を含む。したがってハウジング１８の空胴１７を形成している周囲面（筒状面１６）は円形断面の表面である。
【００９４】
さらに、インサート２０は、実際、交差軸Ｙに沿った駆動軸６０の並進を既に防止している。図１ないし６に示されている実施形態のインサートの駆動軸保持部２９の代わりに、図７ないし１０に示されている実施形態では、駆動軸６０は、保持ねじ６９によって交差軸Ｙに沿った第１の方向Ｙ１の並進が防止される。ヘッド６２は、ハウジング１８の周囲面３０に当接するカラー６７を有しており、したがって交差軸Ｙに沿った第２の方向Ｙ２の駆動軸６０の並進を防止する。
【００９５】
さらに、案内部材４０は、第１の当接面４８ａおよび第２の当接面４８ｂを有する溝４８を有する。インサート２０の案内部材保持部２７は、長手軸Ｘに対して直角に延び、かつ、環状溝４８と係合するフォークの形を有する。案内部材保持部２７は、環状溝４８の中に延びているフィンガを備えており、このフィンガの間に案内部材４０が受け入れられる。したがって第１の当接フランジ４８ａおよび第２の当接フランジ４８ｂは、いずれもインサート２０の案内部材保持部２７の当接面２７ａ、２７ｂと対向している。したがってサポート１０に対して、案内部材保持部２７は、当接フランジ４８ａを当接させることによって、案内部材４０が長手軸Ｘに沿って第１の方向Ｘ１に並進するのを防止し、また、案内部材保持部２７は、第２の当接フランジ４８ｂを当接させることによって、案内部材４８が長手軸Ｘに沿って第２の方向Ｘ２に並進するのを防止する。
【００９６】
また、案内部材４０は、図１０に示されているように、管状部４５の内面４５ａと外面４５ｂの間に延びている、ねじ５０の筒状ピン５９を案内部材４０の筒状孔４９に長手軸Ｘに対して直角の挿入方向Ｙ’に沿って挿入するためのスロット４６を有する。
【００９７】
さらに、任意で、使用者が指を把持部４２に接触させることによって案内部材４０を直接回転させることができるようにするために、案内部材４０は環状の把持部４２を備えており、サポート１０は、把持部４２と対向している２つの開口１４を備える。把持部４２は２つの環状外面４３の間に配置されている。図９に示されているように、開口１４は、把持部４２と同じ高さの周辺縁１５によって囲まれている。把持部４２は、長手軸Ｘに対して半径方向に延びている駆動穴４４をさらに有しており、案内部材４０を直接駆動し、かつ、長手軸Ｘ周りに大きいトルクを加えるために、駆動穴４４にステムを挿入することができるようになっている。
【００９８】
案内部材保持部２７を除いて、インサート２０は回転対称を有する。したがってインサート２０の本体２３がプレート２８の近傍でねじ切りされ、筒状面１６が開口１４の隣にねじ切りされ、ねじ止め２１によってインサート２０がハウジング１８に締結される。
【００９９】
第２の実施形態の組立エレメント１を製造するために、側穴１２からハウジング１８内に駆動軸６０が挿入され、かつ、駆動軸６０を交差軸Ｙに沿って保持するために駆動軸６０に保持ねじ６９がねじ込まれる。インサート２０のねじ穴２２にねじ５０がねじ込まれる。次に、案内部材４０がねじ５０およびインサート２０に対して挿入方向Ｙ’に沿って移動され、それによりねじ５０のピン５９がスロット４６から案内部材４０の孔４９に挿入される。次に、ねじ５０および駆動軸４０を支持しているインサート２０が開口４から空胴１７に挿入され、かつ、ハウジング１８にねじ止め２１され、案内部材４０の環状外面４３がハウジング１８の筒状面１６を支える。
【０１００】
また、案内部材４０は、図１０に示されているように、管状部４５の内面４５ａと外面４５ｂの間に延びている、ねじ５０の筒状ピン５９を案内部材４０の筒状孔４９に長手軸Ｘに対して直角の挿入方向Ｙ’に沿って挿入するためのスロット４６を有する。
【０１０１】
図７は、結合エレメント１０１の他の実施形態を示したものである。図７に示されている結合エレメント１０１は概ね球状であり、球面に直交して分布している２６個のねじ込み固定穴１２２を有する。
【０１０２】
図７ないし１０に示されている実施形態では、周囲外面３０は円形であるが、筒状面１６の形状および周囲外面３０の形状は、互いに無関係に変更することができるため、周囲外面３０は、図１ないし６に示されている実施形態の周囲外面と全く同じであってもよいことに留意されたい。さらに、図１ないし６に示されている結合エレメント１０１、および図７ないし１０に示されている結合エレメント１０１は、図１ないし６に示されている組立エレメントまたは図７ないし１０に示されている組立エレメントのいずれかに締結することができる。
【０１０３】
図１１および１２は、本発明による組立エレメント１の第３の実施形態を示す。
【０１０４】
第３の実施形態は、主として、交差軸Ｙに沿った第１の方向Ｙ１の駆動軸６０の並進が防止されていない点、および駆動軸６０が駆動ツール８０の一部である点で第１の実施形態とは異なっている。
【０１０５】
図１１に示すように、駆動軸６０が動作するとき、側穴１２は、駆動軸６０の周辺部６４が回転する支持面を形成し、支持面１３内に外面６３が受け入れられ、駆動軸６０の円錐歯車６１と案内部材４０の円錐歯車４１が噛み合う。したがってサポート１０の側穴１２および支持面１３は駆動軸６０を交差軸Ｙに沿って案内し、それにより案内部材４０の円錐歯車４１と協働するよう、駆動軸６０の円錐歯車６１が良好に位置決めされる。
【０１０６】
駆動軸６０がハウジング１８から除去されると、側穴１２がキャップ８２によって閉じられることが好ましい。
【０１０７】
図１３および１４は、本発明による組立エレメント１の第４の実施形態を示す。
【０１０８】
第４の実施形態は、主として、インサート２０が、一体に固定された２つの部分２０ａ、２０ｂ（本体２３は、長手軸Ｘおよび交差軸Ｙに沿って延びている対称平面に沿って２つに分割されている）を有し、それらの間にねじ５０および駆動軸６０が保持されるケーシングを形成している点で第１の実施形態と異なっている。さらに、インサート２０は、駆動軸６０のヘッド６２の周辺部６４が回転する支持面１３を形成する側穴１２を備えており、したがってインサート２０、ねじ５０および駆動軸６０は、モジュール７０の一部である。
【０１０９】
第４の実施形態では、インサート２０の案内部材保持部２７は、案内部材４０の環状溝４８に挿入された環状張り出しであり、したがって案内部材保持部２７は、インサート２０に対する長手軸Ｘに沿った第１の方向Ｘ１および第２の方向Ｘ２の案内部材４０のスライドを防止する。
【０１１０】
したがって、案内部材４０はインサート２０によって直接支持されており、インサート２０に対して長手軸Ｘ周りに回転することだけができる。
【０１１１】
さらに、インサート２０の駆動軸保持部２９は、駆動軸６０の環状溝６８に挿入された環状張り出しであり、したがって駆動軸保持部２９は、インサート２０に対する交差軸Ｙに沿った第１の方向Ｙ１および第２の方向Ｙ２の駆動軸のスライドを防止する。
【０１１２】
また、側穴１２は、駆動軸６０のヘッド６２の周辺部６４を支持しているため、駆動軸６０はインサート２０によって直接支持されており、インサート２０に対して交差軸Ｙ周りに回転することだけができる。
【０１１３】
インサート２０、ねじ５０、案内部材４０および駆動軸６０を備えた自己支持モジュール７０は、ハウジング１８の空胴１７に挿入され、かつ、ねじ２１によってハウジングに固定される。
【０１１４】
一方、駆動軸６０の端面６６は、インサート２０の本体２３の周囲面７２と同じ高さであり、また、ハウジング１８は、側穴１２からつながり、側穴１２と同じ断面を有する、交差軸Ｙに沿って延びている通路１１を有する。
【０１１５】
図１５および１６は、本発明による組立エレメント１の第５の実施形態を示したものである。
【０１１６】
第５の実施形態は、案内部材４０がねじ５０と一体である（ねじ５０と一部品で成型されていることが好ましい）点で第１の実施形態とは異なっている。
【０１１７】
ねじ５０の当接表面５２は、長手軸Ｘに沿った第１の方向Ｘ１のねじ５０の並進を防止するためにインサート２０の内部当接面２６に当接する。
【０１１８】
案内部材保持部２７はハウジング１８の一部であり、長手軸Ｘに沿った第２の方向Ｘ２のねじ５０の並進を防止するために案内部材４０の保持フランジ５５に当接する。したがって、ねじ５０は、サポート１０に対して長手軸周りに回転することだけができる。
【０１１９】
図１７は、本発明による装置１００の第６の実施形態を示したものである。
【０１２０】
第６の実施形態は、主として、組立エレメント１がプレートであり、また、結合エレメント１０１が組立エレメント１に着脱可能に締結されるプレートである点で第４の実施形態とは異なっている。
【０１２１】
組立エレメント１は２つの空胴１７を備える。モジュール７０は個々の空胴１７に挿入され、また、モジュール７０のねじ５０は同じ方向に突出させることができ、したがってねじ５０は、同じ結合エレメント１０１の２つの個々のねじ穴１２２に締結される。
【０１２２】
図１８は、本発明による装置１００の第７の実施形態を示したものである。
【０１２３】
第７の実施形態では、プレート２８は、長手軸Ｘに対して直角の実質的に八角形である断面を有する周囲面６を有する。組立エレメント１は、長手軸Ｘに対して直角の八角形の断面を有する突出クランク２を個々の端部１０ａ、１０ｂに有する。
【０１２４】
したがって組立エレメント１は、結合エレメント１０１に対して長手軸Ｘ周りに均等に配置された（４５度おきに）８個の角相対位置のうちの１つに指標付けされる。
【図１】
2013531205.tif 000003
【図２】
2013531205.tif 000004
【図３】
2013531205.tif 000005
【図４Ａ】
2013531205.tif 000006
【図４Ｂ】
2013531205.tif 000007
【図５】
2013531205.tif 000008
【図６】
2013531205.tif 000009
【図７】
2013531205.tif 000010
【図８】
2013531205.tif 000011
【図９】
2013531205.tif 000012
【図１０】
2013531205.tif 000013
【図１１】
2013531205.tif 000014
【図１２】
2013531205.tif 000015
【図１３】
2013531205.tif 000016
【図１４】
2013531205.tif 000017
【図１５】
2013531205.tif 000018
【図１６】
2013531205.tif 000019
【図１７】
2013531205.tif 000020
【図１８】
2013531205.tif 000021
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
エレメント（１０１）に着脱可能に締結されるようにされた空間的構造物のための組立アセンブリ（１、７０）であって、
シャンク（５４）および当接フランジ（５２）を有し、前記シャンク（５４）が、長手軸（Ｘ）に沿って延び、かつ、ねじ部（５６）を含む、ねじ（５０）と、
前記長手方向（Ｘ）に沿って延びている周囲面（３０、７２）、および前記長手軸（Ｘ）に沿った端部（１０ａ、１０ｂ）を有するサポート（１０）であって、第１の穴（１２）および第２の穴（２２）を備え、前記第１の穴（１２）が前記周囲面（３０、７２）を貫通して延び、前記第２の穴（２２）が前記ねじ（５０）の前記シャンク（５４）を受け入れるサポート（１０）と、
前記サポート（１０）に対して旋回可能に交差軸（Ｙ）に沿って取り付けられた駆動軸（６０）であって、前記交差軸（Ｙ）が前記縦方向（Ｘ）に対して平行ではなく、前記サポート（１０）の前記第１の穴（１２）を通って延び、前記交差軸（Ｙ）周りの前記駆動軸（６０）の回転が前記長手軸（Ｘ）周りの前記ねじ（５０）の回転に機械的に関連づけられる駆動軸（６０）と、
前記サポート（１０）に対して前記長手軸（Ｘ）周りに旋回可能に取り付けられた案内部材（４０）であって、前記交差軸（Ｙ）周りでの前記駆動軸（６０）の回転が、前記案内部材（４０）を介して前記長手軸（Ｘ）周りでの前記ねじ（５０）の回転と機械的に関連づけられ、前記ねじ（５０）は前記案内部材（４０）に対して前記長手軸（Ｘ）に沿って自由にスライド可能であり、前記ねじ（５０）は、前記サポート（１０）に対して前記長手軸（Ｘ）に沿って移動可能であり、前記案内部材（４０）は当接フランジ（４８ａ）を有する案内部材（４０）と、
を備え、
前記サポート（１０）は、ハウジング（１８）およびインサート（２０）を備え、前記ハウジング（１８）は、前記サポート（１０）の端部（１０ａ、１０ｂ）に開口（４）を備えた前記長手軸（Ｘ）に沿った空胴（１７）を有し、前記インサート（２０）は、前記空胴（１７）に挿入され、かつ、前記ハウジング（１８）に固定されており、
前記組立アセンブリは、前記インサート（２０）が、
前記第２の穴（２２）を有するプレート（２８）と、
前記ねじ（５０）の前記当接フランジ（５２）と協働する当接面（２６）と、
前記案内部材（４０）が前記長手軸（Ｘ）に沿った一方向（Ｘ１）に並進するのを防止するために前記案内部材（４０）の前記当接フランジ（４８ａ）に当接する案内部材保持部（２７）と、
を備えた一つの部品（２０、２０ａ）を含むことを特徴とする組立アセンブリ（１、７０）。
【請求項２】
前記駆動軸（６０）は前記サポート（１０）に対して前記交差軸（Ｙ）周りに回転することのみが可能である、請求項１に記載の組立アセンブリ。
【請求項３】
前記駆動軸（６０）は、前記交差軸（Ｙ）周りに円形周囲断面（６４）を有するヘッド部（６２）を含み、
前記第１の穴（１２）は円形断面を有し、
前記第１の穴（１２）は前記駆動軸の前記ヘッド部（６２）によって閉じられる、
請求項２に記載の組立アセンブリ。
【請求項４】
前記ヘッド部（６２）が前記交差軸（Ｙ）に沿って端面（６６）を有し、前記駆動軸（６０）の前記端面（６６）が前記サポート（１０）の前記周囲面（３０、７２）と同じ高さである、請求項３に記載の組立アセンブリ。
【請求項５】
前記ねじ（５０）は非円形断面の筒状ピン（５９）を備え、
前記案内部材（４０）は、前記ねじ（５０）の前記筒状ピン（５９）を受け入れる筒状孔（４９）を備え、
前記案内部材（４０）の前記筒状孔（４９）は前記ねじ（５０）の前記筒状ピン（５９）と係合して、前記案内部材（４０）および前記ねじ（５０）を互いに前記長手軸（Ｘ）周りに回転しないようにする、
請求項１から４のいずれか一項に記載の組立アセンブリ。
【請求項６】
前記案内部材（４０）は、前記筒状孔（４９）および外面（４５ｂ）によって形成される内面（４５ａ）を有する管状部（４５）を含み、
前記案内部材（４０）は、前記内面（４５ａ）と前記外面（４５ｂ）の間に延びている、前記ねじ（５０）の前記筒状ピン（５９）を前記案内部材（４０）の前記筒状孔（４９）に前記長手軸（Ｘ）に対して直角の挿入方向（Ｙ’）に沿って挿入するためのスロット（４６）を有する、
請求項５に記載の組立アセンブリ。
【請求項７】
前記駆動軸（６０）はかさ歯車（４１、５１、６１）を介して前記ねじ（５０）に結合され、前記案内部材（４０）は、前記駆動軸（６０）によって前記長手軸（Ｘ）に沿った一方の方向（Ｘ２）の並進が防止され、前記駆動軸（６０）は、前記案内部材（４０）によって前記交差軸（Ｙ）に沿った一方の方向（Ｙ２）の並進が防止される、請求項１から６のいずれか一項に記載の組立アセンブリ。
【請求項８】
前記案内部材（４０）は、前記当接フランジ（４８ａ）を含む環状溝（４８）を有し、
前記案内部材保持部（２７）は、前記長手軸（Ｘ）に沿った２つの互いに逆方向（Ｘ１、Ｘ２）の前記案内部材（４０）の並進を防止するために、前記案内部材（４０）の前記環状溝（４８）と係合する、
請求項１から７のいずれか一項に記載の組立アセンブリ。
【請求項９】
前記駆動軸（６０）は当接フランジ（６８ａ）を有し、
前記インサート（２０）は、前記交差軸（Ｙ）に沿った一方の方向（Ｙ１）の前記駆動軸（６０）の並進を防止するために前記駆動軸（６０）の前記当接フランジ（６８ａ）と当接する駆動軸保持部（２９）をさらに備える、
請求項１から８のいずれか一項に記載の組立アセンブリ。
【請求項１０】
前記駆動軸（６０）は環状溝（６８）を有し、
前記インサート（２０）は、前記交差軸（Ｙ）に沿った２つの互いに逆方向（Ｙ１、Ｙ２）の前記駆動軸（６０）の並進を防止するための、前記駆動軸（６０）の前記環状溝（６８）と係合した駆動軸保持部（２９）をさらに備える
請求項１から８のいずれか一項に記載の組立アセンブリ。
【請求項１１】
前記インサート（２０）は、前記ねじ（５０）、前記案内部材（４０）および前記駆動軸（６０）が保持されるケーシング（７０）を形成し、したがって前記インサート（２０）、前記ねじ（５０）、前記案内部材（４０）および前記駆動軸（６０）がモジュールの一部である、請求項１から１０のいずれか一項に記載の組立アセンブリ。
【請求項１２】
前記インサート（２０）は、前記長手軸（Ｘ）および前記交差軸（Ｙ）に沿って延びる対称平面に沿って２つの部分（２０ａ、２０ｂ）に分割され一体に固定された本体（２３）を備え、
前記ねじ（５０）、前記案内部材（４０）および前記駆動軸（６０）は前記２つの部分（２０ａ、２０ｂ）の間に保持される、
請求項１１に記載の組立アセンブリ。
【請求項１３】
前記ハウジング（１８）は押出し加工されている、請求項１から１２のいずれか一項に記載の組立アセンブリ。
【請求項１４】
前記駆動軸（６０）は、かさ歯車（４１、６１）を介して前記ねじ（５０）に結合される、請求項１から１３のいずれか一項に記載の組立アセンブリ。
【請求項１５】
前記交差軸（Ｙ）は前記長手軸（Ｘ）に対して直角である、請求項１から１４のいずれか一項に記載の組立アセンブリ。
【請求項１６】
前記サポート（１０）は前面（２４）および当接面（２６）をさらに有し、前記第２の穴（２２）にねじが切られており、
前記ねじ（５０）は、後退位置と突出位置の間を連動した並進および回転によって前記サポート（１０）に対して移動可能であり、前記ねじの前記ねじ部（５６）は、前記後退位置と前記突出位置との間で前記ねじ穴（２２）と係合し、前記シャンク（５４）は、前記突出位置では前記サポート（１０）の前記前面（２４）から突出し、
固定位置では、前記ねじ（５０）の前記ねじ部（５６）が前記サポート（１０）の前記前面（２４）から突出し、前記ねじの前記当接フランジ（５２）が前記サポート（１０）の前記当接面（２６）に当接し、前記ねじ（５０）が、前記長手軸（Ｘ）に沿って並進することなく、前記長手軸（Ｘ）周りに前記サポート（１０）に対して回転可能である
請求項１から１５のいずれか一項に記載の組立アセンブリ。
【請求項１７】
請求項１から１６のいずれか一項に記載の組立アセンブリ（１）、およびねじ込み固定穴（１２２）を備えたエレメント（１０１）を備える装置（１００）であって、
前記組立アセンブリ（１）が内部当接面（２６）および外部当接面（２５）を備え、
前記第２の穴（２２）が前記内部当接面（２６）を貫通して延び、
前記ねじ（５０）が前記エレメント（１０１）の前記固定穴（１２２）にねじ込まれ、
前記ねじの前記当接フランジ（５２）が前記サポート（１０）の前記内部当接面（２６）に当接し、
前記組立アセンブリ（１）の前記外部当接面（２５）が前記長手軸（Ｘ）に沿って前記エレメント（１０１）の当接表面（１２５）に圧力（Ｆ）を加え、前記圧力（Ｆ）が、前記ねじ（５０）を前記固定穴（１２２）にねじ込むにつれて大きくなり、
前記組立アセンブリ（１）は前記長手軸（Ｘ）に対して直角の非円形断面を有するクランク（２）を備え、
前記組立アセンブリ（１）および前記エレメント（１０１）が互いに嵌合するよう、前記エレメント（１０１）は、前記組立アセンブリ（１）の前記クランク（２）の反対側に、前記クランク（２）と相補をなすクランク（１０２）を備え、
前記組立アセンブリ（１）の前記クランク（２）および前記エレメント（１０１）の前記クランク（１０２）は、前記長手軸（Ｘ）に対して直角の多角形断面を有し、前記組立アセンブリ（１）の前記クランク（２）および前記エレメント（１０１）の前記クランク（１０２）のうちの一方が、前記長手軸（Ｘ）に対して直角の正八角形断面（６）を有す
る装置（１００）。
【請求項１８】
前記組立アセンブリ（１）の前記クランク（２）および前記エレメント（１０１）のクランク（１０２）の一方は、前記長手軸（Ｘ）に直角な正八角形断面（６）を有し、
前記組立アセンブリ（１）のクランク（２）および前記エレメント（１０１）のクランク（１０２）のもう一方は、前記長手軸（Ｘ）  に直角な正方形断面を有し、
正八角形断面（６）を有する前記クランク（２）は、前記正方形断面を有するクランク（１０２）内に挿入されるようになっている、
請求項１７に記載の装置。
【国際調査報告】
2013531205.tif 000022
2013531205.tif 000023
2013531205.tif 000024